(57)【要約】      （修正有）【課題】送風角度の調整性に優れて、簡単に折り畳んで収納することができる折り畳み式扇風機を提供する。【解決手段】ベース４と、ベースの一側に設置された扇風機本体１と、一端がベースに回動可能に装着され、他端が扇風機本体に装着された伸縮ロック機構３であって、扇風機本体が使用されるときに、ベースに固定され、且つ固定された後に扇風機本体を支持する伸縮ロック機構と、一端が扇風機本体に装着され、他端が伸縮ロック機構に装着された反転ロック機構２であって、扇風機本体が使用されるときに、扇風機本体と伸縮ロック機構を相対的にロック可能にし、又は、扇風機本体が収納されるときに、扇風機本体と伸縮ロック機構を相対的に回動可能にする反転ロック機構と、を備える。【選択図】図１
0003227146.tif 000002
【実用新案登録請求の範囲】
【請求項１】
折り畳み式扇風機であって、
ベース（４）と、
前記ベース（４）の一側に設置された扇風機本体（１）と、
一端が前記ベース（４）に回動可能に装着され、他端が前記扇風機本体（１）に装着された伸縮ロック機構（３）であって、前記扇風機本体（１）が使用されるときに、前記ベース（４）に固定され、且つ固定された後に前記扇風機本体（１）を支持する伸縮ロック機構（３）と、
一端が前記扇風機本体（１）に装着され、他端が前記伸縮端に装着された反転ロック機構（２）であって、前記扇風機本体（１）が使用されるときに、前記扇風機本体（１）と前記伸縮ロック機構（３）を相対的にロック可能にし、又は、前記扇風機本体が収納されるときに、前記扇風機本体（１）と前記伸縮ロック機構（３）を相対的に回動可能にする反転ロック機構（２）と、を備えることを特徴とする折り畳み式扇風機。
【請求項２】
前記ベース（４）には、収納溝（４４）が設置され、及び／又は、前記扇風機本体（１）には、収納溝（４４）が設置され、扇風機本体を折り畳むとき、前記伸縮ロック機構（３）と前記反転ロック機構（２）は、反転して折り畳まれて前記収納溝（４４）に収容されることを特徴とする請求項１に記載の折り畳み式扇風機。
【請求項３】
前記反転ロック機構（２）は、
前記扇風機本体（１）に固定して取り付けられる接続ベース（２１）と、
前記伸縮ロック機構（３）の前記ベース（４）から離れた一側に固定して取り付けられ、前記接続ベース（２１）に装着される雲台ヘッド（２３）と、
一端が前記接続ベース（２１）に装着され、他端が前記雲台ヘッド（２３）に装着され、前記雲台ヘッド（２３）と前記接続ベース（２１）を回動可能に装着するヒンジ部材（２２）と、
前記ヒンジ部材（２２）と前記雲台ヘッド（２３）との間に設置された減衰ゴムリング（２４）と、を備えることを特徴とする請求項２に記載の折り畳み式扇風機。
【請求項４】
前記接続ベース（２１）には、「匚」型構造のノッチ（２１１）が設置され、前記ヒンジ部材（２２）は、２つ設けられ、２つの前記ヒンジ部材（２２）は、それぞれ前記ノッチ（２１１）の対向する内壁面に取り付けられ、前記雲台ヘッド（２３）は、一端が環状であり、２つの前記ヒンジ部材（２２）の間にヒンジ連結され、他端が前記伸縮ロック機構（３）に固定して装着され、扇風機本体（１）が収納されるとき、扇風機本体（１）は、接続ベース（２１）における雲台ヘッド（２３）を介して伸縮ロック機構（３）に対して反転して折り畳むことができることを特徴とする請求項３に記載の折り畳み式扇風機。
【請求項５】
前記伸縮ロック機構（３）は、
一端が前記ベース（４）に装着され、他端が前記扇風機本体（１）に装着された伸縮機構と、
前記伸縮機構と前記ベース（４）との間に設置されたロック機構であって、前記伸縮機構が使用されるとき、前記伸縮機構と前記ベース（４）をロックし、前記伸縮機構が収納されるとき、前記伸縮機構と前記ベース（４）とのロックを解除し、ロックが解除されると、前記伸縮機構が前記ベース（４）に対して反転して前記収納溝（４４）に収納されるロック機構と、を備えることを特徴とする請求項４に記載の折り畳み式扇風機。
【請求項６】
前記伸縮機構は、
ヒンジ連結端が前記ベース（４）に回動可能に装着されたインナースリーブ（３２）と、
固定端が前記インナースリーブ（３２）内に套設されて前記インナースリーブ（３２）に固定して装着され、伸縮端が扇風機本体（１）に装着された伸縮ロッド（３１）と、を備えることを特徴とする請求項５に記載の折り畳み式扇風機。
【請求項７】
前記インナースリーブ（３２）のヒンジ連結端の両側がそれぞれ外へ延びて回動軸（３４）を形成し、２つの前記回動軸（３４）は、同一軸線上に設けられ、
前記ベース（４）には、収容スペース（４１）が設置され、前記収容スペース（４１）の一側の内壁面には、取り付けボス（４２）が設けられ、前記取り付けボス（４２）の２つの前記回動軸（３４）に対応する位置に、それぞれ取り付け軸孔（４３）が設けられ、前記取り付け軸孔（４３）のサイズが２つの前記回動軸（３４）のサイズに適合しており、２つの前記回動軸（３４）がそれぞれ前記取り付け軸孔（４３）に挿着され、それにより前記インナースリーブ（３２）が前記回動軸（３４）を介して前記取り付けボス（４２）に回動可能に取り付けられることを特徴とする請求項６に記載の折り畳み式扇風機。
【請求項８】
前記回動軸（３４）の外周には、摩擦力を増大するための減衰ガスケット（３５）がさらに套設され、前記減衰ガスケット（３５）は、前記回動軸（３４）と前記取り付けボス（４２）の取り付け軸孔（４３）との間に介在していることを特徴とする請求項７に記載の折り畳み式扇風機。
【請求項９】
前記ロック機構は、
前記インナースリーブ（３２）に外嵌され、前記インナースリーブ（３２）に対して回動することで、前記インナースリーブ（３２）と前記ベース（４）をロック又はロック解除するアウタースリーブ（３３）と、
前記インナースリーブ（３２）と前記アウタースリーブ（３３）との間に設置され、前記インナースリーブ（３２）上を移動するように前記アウタースリーブ（３３）を制限する制限構造と、を備えることを特徴とする請求項７に記載の折り畳み式扇風機。
【請求項１０】
前記アウタースリーブ（３３）と前記ベース（４）との間には、前記アウタースリーブ（３３）と前記ベース（４）とのロック面積を増大して前記伸縮ロッド（３１）の安定性を高めるためのロック部材（３７）が設置され、
前記アウタースリーブ（３３）が前記インナースリーブ（３２）に対して回転しながら前記ベース（４）に近づくとき、前記アウタースリーブ（３３）は、前記ロック部材（３７）を前記ベース（４）に押し締めて前記インナースリーブ（３２）をロックし、
前記アウタースリーブ（３３）が前記インナースリーブ（３２）に対して回転しながら前記ベース（４）から離れるとき、前記アウタースリーブ（３３）は、前記ロック部材（３７）に対する押し締めを解除して、前記インナースリーブ（３２）に対するロックを解除することを特徴とする請求項９に記載の折り畳み式扇風機。
【請求項１１】
前記インナースリーブ（３２）の外面には、雄ネジが設けられ、前記アウタースリーブ（３３）の内面には、対応する雌ネジが設けられ、前記アウタースリーブ（３３）は、前記インナースリーブ（３２）と嵌合するネジ構造によって前記インナースリーブ（３２）にロックして固定できることを特徴とする請求項１０に記載の折り畳み式扇風機。
【請求項１２】
前記制限構造は、
前記インナースリーブ（３２）のヒンジ連結端から離れた一側に套設され、前記インナースリーブ（３２）に係着され、且つ開口（３９３）が設置された締め付けリング（３９）と、
一部が前記締め付けリング（３９）の開口（３９３）を貫通して前記インナースリーブ（３２）に差し込まれ、残りの部分が前記締め付けリング（３９）に係着されたロックリング（３６）と、を備えることを特徴とする請求項１１に記載の折り畳み式扇風機。
【請求項１３】
前記ロック機構は、
固定ヘッド（４７）、固定シート（４８）、調整シート（４９）及び調整ボルト（５０）を備え、
前記回動軸（３４）には、装着室（５１）が設置され、前記固定ヘッド（４７）は、前記装着室（５１）内に固定して装着され、且つ前記固定ヘッド（４７）は、前記回動軸（３４）とともに同期移動でき、
前記固定シート（４８）の一端は、前記ベース（４）に固定して取り付けられ、
前記調整シート（４９）は、前記固定シート（４８）と前記固定ヘッド（４７）との間、及び／又は、前記固定シート（４８）と前記調整ボルト（５０）との間に設置され、
前記調整ボルト（５０）は、前記調整シート（４９）と前記固定シート（４８）を貫通して前記固定ヘッド（４７）に装着され、前記固定シート（４８）と前記固定ヘッド（４７）との間の摩擦力を調整することに用いられることを特徴とする請求項７に記載の折り畳み式扇風機。
【考案の詳細な説明】
【技術分野】
【０００１】
本考案は、電気扇風機の技術分野に関し、具体的には、折り畳み式扇風機に関する。
【背景技術】
【０００２】
現在、さまざまな電気扇風機が市販されており、一般的な電気扇風機は、使用されるときに、扇風機本体と固定ロッドが相対的に固定されるので、扇風機本体の送風角度の調整が困難であり、その結果、電気扇風機が風を所望通りに人体へ吹き付けることができない。さらに、従来の電気扇風機は、使用しないときに折り畳んで収納することができず、大きなスペースを占めるだけでなく、持ち運びにくい。したがって、従来の電気扇風機が実際の用途によるニーズを満足できなくなり、上記問題を解決するために、送風角度が調整可能であり、簡単に折り畳んで収納することができ、持ち運びやすい扇風機が求められている。
【考案の概要】
【考案が解決しようとする課題】
【０００３】
本考案の目的は、従来技術の欠陥及び不備に対して、構造がコンパクトで、扇風機本体の多角度調整が可能であり、且つ簡単に折り畳んで収納することができ、折り畳み後の体積が小さく、送風角度の調整性に優れて、簡単に折り畳んで収納することができ、携帯性が良好であり、包装材料及び包装の体積を減少させて、輸送コストを低減させるという利点を有する折り畳み式扇風機を提供することである。
【課題を解決するための手段】
【０００４】
上記目的を達成させるために、本考案は、下記技術案を採用する。
折り畳み式扇風機は、
ベースと、
前記ベースの一側に設置された扇風機本体と、
一端が前記ベースに回動可能に装着され、他端が前記扇風機本体に装着された伸縮ロック機構であって、前記扇風機本体が使用されるときに、前記ベースに固定され、且つ固定された後に前記扇風機本体を支持する伸縮ロック機構と、
一端が前記扇風機本体に装着され、他端が前記伸縮端に装着された反転ロック機構であって、前記扇風機本体が使用されるときに、前記扇風機本体と前記伸縮ロック機構を相対的にロック可能にし、又は、前記扇風機本体が収納されるときに、前記扇風機本体と前記伸縮ロック機構を相対的に回動可能にする反転ロック機構と、を備える。
【０００５】
前記ベースには、収納溝が設置され、及び／又は、前記扇風機本体には、収納溝が設置され、扇風機本体を折り畳むとき、前記伸縮ロック機構と前記反転ロック機構は、反転して折り畳まれて前記収納溝に収容されてもよい。
【０００６】
前記反転ロック機構は、
前記扇風機本体に固定して取り付けられる接続ベースと、
前記伸縮ロック機構の前記ベースから離れた一側に固定して取り付けられ、前記接続ベースに装着される雲台ヘッドと、
一端が前記接続ベースに装着され、他端が前記雲台ヘッドに装着され、前記雲台ヘッドと前記接続ベースを回動可能に装着するヒンジ部材と、
前記ヒンジ部材と前記雲台ヘッドとの間に設置された減衰ゴムリングと、を備えてもよい。
【０００７】
前記接続ベースには、「匚」型構造のノッチが設置され、前記ヒンジ部材は、２つ設けられ、２つの前記ヒンジ部材は、それぞれ前記ノッチの対向する内壁面に取り付けられ、前記雲台ヘッドは、一端が環状であり、２つの前記ヒンジ部材の間にヒンジ連結され、他端が前記伸縮ロック機構に固定して装着され、扇風機本体が収納されるとき、扇風機本体は、接続ベースにおける雲台ヘッドを介して伸縮ロック機構に対して反転して折り畳むことができる。
【０００８】
前記伸縮ロック機構は、
一端が前記ベースに装着され、他端が前記扇風機本体に装着された伸縮機構と、
前記伸縮機構と前記ベースとの間に設置されたロック機構であって、前記伸縮機構が使用されるとき、前記伸縮機構と前記ベースをロックし、前記伸縮機構が収納されるとき、前記伸縮機構と前記ベースとのロックを解除し、ロックが解除されると、前記伸縮機構が前記ベースに対して反転して前記収納溝に収納されるロック機構と、を備えてもよい。
【０００９】
前記伸縮機構は、
ヒンジ連結端が前記ベースに回動可能に装着されたインナースリーブと、
固定端が前記インナースリーブ内に套設されて前記インナースリーブに固定して装着され、伸縮端が扇風機本体に装着された伸縮ロッドと、を備えてもよい。
【００１０】
前記インナースリーブのヒンジ連結端の両側がそれぞれ外へ延びて回動軸を形成し、２つの前記回動軸は、同一軸線上に設けられ、
前記ベースには、収容スペースが設置され、前記収容スペースの一側の内壁面には、取り付けボスが設けられ、前記取り付けボスの２つの前記回動軸に対応する位置に、それぞれ取り付け軸孔が設けられ、前記取り付け軸孔のサイズが２つの前記回動軸のサイズに適合しており、２つの前記回動軸がそれぞれ前記取り付け軸孔に挿着され、それにより前記インナースリーブが前記回動軸を介して前記取り付けボスに回動可能に取り付けられてもよい。
【００１１】
前記回動軸の外周には、摩擦力を増大するための減衰ガスケットがさらに套設され、前記減衰ガスケットは、前記回動軸と前記取り付けボスの取り付け軸孔との間に介在してもよい。
【００１２】
前記ロック機構は、
前記インナースリーブに外嵌され、前記インナースリーブに対して回動することで、前記インナースリーブと前記ベースをロック又はロック解除するアウタースリーブと、
前記インナースリーブと前記アウタースリーブとの間に設置され、前記インナースリーブ上を移動するように前記アウタースリーブを制限する制限構造と、を備えてもよい。
【００１３】
前記アウタースリーブと前記ベースとの間には、前記アウタースリーブと前記ベースとのロック面積を増大して前記伸縮ロッドの安定性を高めるためのロック部材が設置され、
前記アウタースリーブが前記インナースリーブに対して回転しながら前記ベースに近づくとき、前記アウタースリーブは、前記ロック部材を前記ベースに押し締めて前記インナースリーブをロックし、
前記アウタースリーブが前記インナースリーブに対して回転しながら前記ベースから離れるとき、前記アウタースリーブは、前記ロック部材に対する押し締めを解除して、前記インナースリーブに対するロックを解除してもよい。
【００１４】
前記インナースリーブの外面には、雄ネジが設けられ、前記アウタースリーブの内面には、対応する雌ネジが設けられ、前記アウタースリーブは、前記インナースリーブと嵌合するネジ構造によって前記インナースリーブにロックして固定できる。
【００１５】
前記制限構造は、
前記インナースリーブのヒンジ連結端から離れた一側に套設され、前記インナースリーブに係着され、且つ開口が設置された締め付けリングと、
一部が前記締め付けリングの開口を貫通して前記インナースリーブに差し込まれ、残りの部分が前記締め付けリングに係着されたロックリングと、を備えてもよい。
【００１６】
前記ロック機構は、
固定ヘッド、固定シート、調整シート及び調整ボルトを備え、
前記回動軸には、装着室が設置され、前記固定ヘッドは、前記装着室内に固定して装着され、且つ前記固定ヘッドは、前記回動軸とともに同期移動でき、
前記固定シートの一端は、前記ベースに固定して取り付けられ、
前記調整シートは、前記固定シートと前記固定ヘッドとの間、及び／又は、前記固定シートと前記調整ボルトとの間に設置され、
前記調整ボルトは、前記調整シートと前記固定シートを貫通して前記固定ヘッドに装着され、前記固定シートと前記固定ヘッドとの間の摩擦力を調整することに用いられてもよい。
【考案の効果】
【００１７】
上記技術案によれば、本考案の有益な効果は、以下のとおりである。扇風機本体に反転ロック機構が設けられることによって、扇風機本体は、反転ロック機構を介して反転折り畳み及び多角度調整の機能を実現できる。さらに、この扇風機本体に伸縮ロック機構がさらに接続されるので、伸縮ロック機構により伸縮ロックの機能を実現できる。本考案は、構造が簡単かつコンパクトであり、扇風機本体を反転ロック機構及び伸縮ロック機構を介して折り畳んでベースに収容することができ、折り畳まれた扇風機の体積が小さくなり、占有スペースを減少させるとともに、収納も携帯も容易になる。
【図面の簡単な説明】
【００１８】
本考案の実施例又は従来技術の技術案をより明瞭に説明するために、以下、実施例又は従来技術の説明に必要な図面について簡単に説明するが、明らかなように、以下の説明における図面は、本考案の実施例の一部に過ぎず、当業者であれば、創造的な努力を必要とせずに、これらの図面に基づいてほかの図面を想到しうる。
【図１】実施例１の使用状態での全体構造模式図である。
【図２】実施例１の第１分解図である。
【図３】実施例１における伸縮ロック機構の分解図である。
【図４】図２における細部Ａに対応する拡大図である。
【図５】実施例１の第２分解図である。
【図６】実施例１の折り畳み状態での全体構造模式図である。
【図７】実施例２の全体構造模式図である。
【図８】実施例２の分解図である。
【図９】実施例３の全体構造模式図である。
【図１０】実施例３の分解図である。
【考案を実施するための形態】
【００１９】
以下、図面を参照しながら、本考案をさらに詳細に説明する。
これらの具体的な実施例は、本考案を説明するものに過ぎず、本考案を制限するものではなく、当業者が本明細書を読んだ上、必要に応じて本実施例について進歩性のない変更をすることができ、本考案の特許請求の範囲内であれば、特許法により保護される。
【００２０】
実施例１
本実施例は、図１−６に示すように、扇風機本体１、反転ロック機構２、伸縮ロック機構３及びベース４を備える折り畳み式扇風機に関する。
【００２１】
扇風機本体１は、ベース４の一側に設置される。伸縮ロック機構３は、一端がベース４に回動可能に装着され、他端が扇風機本体１に装着される。扇風機本体１が使用されるとき、伸縮ロック機構３は、ベース４に固定され、且つ固定された後に扇風機本体１を支持することに用いられる。反転ロック機構２は、一端が扇風機本体１に装着され、他端が伸縮ロック機構３に装着される。扇風機本体１が使用されるとき、反転ロック機構２は、扇風機本体１と伸縮ロック機構３を相対的にロック可能にし、扇風機本体が収納されるとき、反転ロック機構２は、扇風機本体１と伸縮ロック機構３を相対的に回動可能にする。
【００２２】
図１、２、５に示すように、ベース４には、収納溝４４が設置され、及び／又は、扇風機本体１には、収納溝４４が設置され、扇風機を折り畳むとき、伸縮ロック機構３及び反転ロック機構２は、反転して折り畳まれて収納溝４４に収容される。ベース４には、主制御回路基板５、充電式バッテリー６、スイッチボタン７及び充電インターフェース８がさらに設けられる。充電インターフェース８は、ベース４の一側の外側壁に設けられ、スイッチボタン７は、取り付けボス４２の上面に嵌設され、主制御回路基板５及び充電式バッテリー６は、取り付けボス４２内に取り付けられ、また、主制御回路基板５は、モータ１３、充電式バッテリー６、スイッチボタン７及び充電インターフェース８に電気的に接続される。上記部分は従来技術であり、本発明の保護の重点ではないため、ここでは詳細説明をしない。
【００２３】
図１、２、５に示すように、本実施例では、ベース４は、円筒形状を有しており、且つ上端が開口して収容スペース４１を形成する。該収容スペース４１の一側の内壁面には、取り付けボス４２が設けられる。収納溝４４は、取り付けボス４２に設置され、且つ収容スペース４１と連通する。扇風機をセットした後の安定性を確保するために、ベース４の内部には、カウンターウェイト９が設置され、且つ該カウンターウェイト９は、取り付けボス４２の内部に設置される。折り畳まれた扇風機がベース４から離脱しないように、扇風機本体１には、収容スペース４１のエッジに係合するための係合ブロック１５が設置される。ほかの実施例では、収納溝４４は、扇風機本体１に設置され、又は、収納溝４４は、一部が扇風機本体１に設置され、残りの部分が取り付けボス４２に設置されるようにしてもよい。
【００２４】
図５に示すように、扇風機本体１は、前ガード１１、後ガード１２、モータ１３及び扇風機ブレード１４を備え、前ガード１１と後ガード１２は結合されると、モータ１３及び扇風機ブレード１４を収容するための収容室を形成し、モータ１３は、後ガード１２内に固定して設けられ、且つモータ１３の出力軸には扇風機ブレード１４が固定して接続される。該扇風機本体１の部分は従来技術であり、本発明の保護の重点ではないため、ここでは詳細説明をしない。
【００２５】
図１−５に示すように、反転ロック機構２は、接続ベース２１、雲台ヘッド２３、ヒンジ部材２２及び減衰ゴムリング２４を備える。接続ベース２１は、扇風機本体１の背面に固定して取り付けられる。雲台ヘッド２３は、伸縮ロック機構３のベース４から離れた一側に固定して取り付けられ、接続ベース２１に装着される。ヒンジ部材２２は、一端が接続ベース２１に装着され、他端が雲台ヘッド２３に装着される。ヒンジ部材２２は、雲台ヘッド２３と接続ベース２１とを回動可能に装着する。減衰ゴムリング２４は、ヒンジ部材２２と雲台ヘッド２３との間に設置され、反転後の扇風機本体１をロックする。
【００２６】
具体的には、図１−５に示すように、接続ベース２１には、「匚」型構造のノッチ２１１が設置される。ヒンジ部材２２は、２つ設けられ、２つのヒンジ部材２２は、それぞれノッチ２１１の対向する内壁面に取り付けられる。雲台ヘッド２３は、一端が環状であり、２つのヒンジ部材２２の間にヒンジ連結され、他端が伸縮ロック機構３に固定して装着される。減衰ゴムリング２４は、雲台ヘッド２３と２つのヒンジ部材２２とのヒンジ連結部位に設置される。雲台ヘッド２３の上端には、円形貫通孔２３１が開けられ、円形貫通孔２３１に対向する２つのヒンジ部材２２の側面には、円形カラム２２１が設けられ、２つの円形カラム２２１は、円形貫通孔２３１に一対一対応する。減衰ゴムリング２４は、円形カラム２２１の外壁面と円形貫通孔２３１の内壁面との間に介在して締り嵌めされる。即ち、２つの減衰ゴムリング２４は、雲台ヘッド２３が２つのヒンジ部材２２に対して回転するときの径方向摩擦を増大することで、扇風機本体１が回動後にも回動後の状態を維持できることを確保する。
【００２７】
扇風機本体１が収納されるとき、扇風機本体１は、反転ロック機構２を介して水平に反転して折り畳むことができ、一方、扇風機本体１を展開して使用するときに、扇風機本体１は、それに連結された接続ベース２１を介して雲台ヘッド２３上で反転し、且つ減衰ゴムリング２４を介して扇風機本体１の送風角度を調整し、扇風機本体１の多角度調整の機能を実現することができる。
【００２８】
図１−５に示すように、伸縮ロック機構３は、伸縮機構及びロック機構を備える。伸縮機構は、一端がベース４に装着され、他端が扇風機本体１に装着される。ロック機構は、伸縮機構とベース４との間に設置され、伸縮機構が使用されるとき、ロック機構は、伸縮機構とベース４をロックし、伸縮機構が収納されるとき、ロック機構は、伸縮機構とベース４のロックを解除し、ロックが解除されると、伸縮機構は、ベース４に対して反転して収納溝４４に収納される。
【００２９】
図１−５に示すように、伸縮機構は、インナースリーブ３２及び伸縮ロッド３１を備える。インナースリーブ３２のヒンジ連結端は、ベース４に回動可能に装着される。伸縮ロッド３１の固定端は、インナースリーブ３２内に套設され、且つインナースリーブ３２に固定して装着される。伸縮ロッド３１の伸縮端は、扇風機本体１に装着される。
【００３０】
具体的には、図１−５に示すように、インナースリーブ３２のヒンジ連結端の両側がそれぞれ外へ延びて回動軸３４を形成し、２つの回動軸３４は、同一軸線上に設けられる。ベース４には、収容スペース４１が設置され、収容スペース４１の一側の内壁面には、取り付けボス４２が設けられ、取り付けボス４２の２つの回動軸３４に対応する位置には、それぞれ取り付け軸孔４３が設けられる。取り付け軸孔４３のサイズが２つの回動軸３４のサイズに適合しており、２つの回動軸３４がそれぞれ取り付け軸孔４３に挿着され、それによりインナースリーブ３２が回動軸３４を介して取り付けボス４２に回動可能に取り付けられる。
【００３１】
図１−５に示すように、ロック機構は、ロック部材３７、アウタースリーブ３３及び制限構造を備える。アウタースリーブ３３は、インナースリーブ３２に外嵌され、且つインナースリーブ３２に対して回動することで、インナースリーブ３２とベース４をロック又はロック解除することができる。制限構造は、インナースリーブ３２とアウタースリーブ３３との間に設置され、インナースリーブ３２上を移動するようにアウタースリーブ３３を制限することに用いられる。ロック部材３７は、インナースリーブ３２に套設され、かつインナースリーブ３２のヒンジ連結端に位置する。
【００３２】
なお、アウタースリーブ３３がインナースリーブ３２に対して回転しながらベース４に近づくとき、アウタースリーブ３３は、ロック部材３７をベース４に押し締めてインナースリーブ３２をロックし、アウタースリーブ３３がインナースリーブ３２に対して回転しながらベース４から離れるとき、アウタースリーブ３３は、ロック部材３７に対する押し締めを解除して、インナースリーブ３２に対するロックを解除する。
【００３３】
具体的には、図１−５に示すように、インナースリーブ３２の外面には、雄ネジが設けられ、アウタースリーブ３３の内面には、対応する雌ネジが設けられ、アウタースリーブ３３は、インナースリーブ３２と嵌合するネジ構造によってインナースリーブ３２にロックして固定できる。インナースリーブ３２にはロック部材３７が套設されているため、アウタースリーブ３３が取り付けボス４２に押し締めるようにロック部材３７を駆動するとき、アウタースリーブ３３、インナースリーブ３２及び伸縮ロッド３１がともにベース４に対して固定されているため、扇風機本体１の正常な動作が確保される。
【００３４】
図６に示すように、扇風機本体１が使用されないとき、まず、扇風機本体１を伸縮ロック機構３に対して水平に反転して折り畳み、次に、伸縮ロック機構を回動軸３４周りにベース４に向けて回動駆動し、扇風機本体１を折り畳んでベース４の上端の端面に収納するとともに、反転機構及び伸縮ロック機構３を収納溝４４に収納することができる。
【００３５】
さらに、図３に示すように、回動軸３４の外周には、摩擦力を増大するための減衰ガスケット３５がさらに套設され、減衰ガスケット３５は、回動軸３４と取り付けボス４２の取り付け軸孔４３との間に介在している。
【００３６】
好ましくは、図１−５に示すように、伸縮ロッド３１は、下端に設置されたヒンジ連結ヘッド３８を介してインナースリーブ３２のヒンジ連結端の内壁にヒンジ連結される。インナースリーブ３２のキャビティが伸縮ロッド３１の径方向のサイズより大きいため、伸縮ロッド３１がインナースリーブ３２内に取り付けられると、伸縮ロッド３１がインナースリーブ３２に対して揺れやすい。伸縮ロッド３１とインナースリーブ３２を容易に装着するとともに装着の安定性を確保するために、アウタースリーブ３３と伸縮ロッド３１との間に制限構造が設置される。
【００３７】
図１−５に示すように、制限構造は、締め付けリング３９及びロックリング３６を備える。締め付けリング３９は、インナースリーブ３２のヒンジ連結端から離れた一側に套設され、締め付けリング３９は、インナースリーブ３２に係着され、かつ開口３９３が設置される。ロックリング３６は、一部が締め付けリング３９の開口３９３を貫通してインナースリーブ３２に差し込まれ、残りの部分が締め付けリング３９に係着される。
【００３８】
具体的には、図１−５に示すように、インナースリーブ３２の上端には、第１ロック孔３２１及び挿入溝３２２に設置され、また、締め付けリング３９には、第１ロックブロック３９１が設置される。締め付けリング３９とインナースリーブ３２を装着するときに、第１ロックブロック３９１と第１ロック孔３２１を装着することによって、締め付けリング３９とインナースリーブ３２の装着が実現される。締め付けリング３９には、第２ロック孔３９２が設置され、また、ロックリング３６の内壁には、第２ロックブロック３６１及び挿入ブロック３６２が凸設される。ロックリング３６と締め付けリング３９を装着するときに、まず、挿入ブロック３６２が開口３９３を貫通して挿入溝３２２と嵌合し、次に、第２ロックブロック３６１が第２ロック孔３９２と嵌合し、それによって、ロックリング３６と締め付けリング３９の装着が実現される。
【００３９】
好ましくは、図１−５に示すように、伸縮ロッド３１には、弧状凹溝３１１が設置され、ロックリング３６には、弧状突起３６３が設置され、弧状突起３６３と弧状凹溝３１１が嵌合することによって、伸縮ロッド３１とロックリング３６が締り嵌めし、ロックリング３６が締め付けリング３９を介してインナースリーブ３２と締り嵌めするため、伸縮ロッド３１とインナースリーブ３２が緊密に装着されることが実現される。
【００４０】
本考案の使用原理は、概ね次の通りである。該折り畳み式扇風機が使用されるとき、まず、外力で係合ブロック１５をベース４から離脱させ、ベース４と扇風機本体１のロックを解除し、次に、扇風機本体１をヒンジ部材２２によって雲台ヘッド２３周りに回動駆動し、適切な角度だけ開かれた後、斜め上方へ扇風機本体１を引いて、伸縮ロッド３１でインナースリーブ３２、アウタースリーブ３３、制限構造及びロック部材を回動軸３４周りに上方へ反転するように駆動し、伸縮ロッド３１とベース４が垂直になった後、アウタースリーブ３３を回動して、アウタースリーブ３３によりロック部材３７を取り付けボス４２に当接するように駆動し、それによって、伸縮ロッド３１を垂直位置にロックし、最後に、ヒンジ部材２２と雲台ヘッド２３との間における減衰ゴムリング２４によって、扇風機本体１を所望の角度に調整した後、取り付けボスにおけるスイッチボタン７を押し、該折り畳み式扇風機で送風を行う。該折り畳み式扇風機が収納されるときに、まず、伸縮ロッド３１を収納し、次に、反転ロック機構２により扇風機本体１を回動させ、最後に、伸縮ロック機構により扇風機本体１及び反転ロック機構２を回動させて収納溝４４に収納し、且つ係合ブロック１５とベース４の係着により折り畳み式扇風機をロックする。このように配置された折り畳み式扇風機は、送風角度の調整性に優れて、簡単に折り畳んで収納することができ、携帯性が良好であり、包装材料及び包装の体積を減少させて、輸送コストを低減させるという利点を有する。
【００４１】
実施例２
本実施例と実施例１との主な相違点として、図７、８に示すように、本実施例では、扇風機本体１の後ガード１２の、前ガード１１から離れた一側には、環状リブ４５が設置され、該環状リブ４５は、後ガード１２と一体成形され、且つ後ガード１２とともに囲んで収納室４６を形成する。ロック構造及び伸縮機構は、収納溝４４及び収納室４６から構成される収納スペースに収納される。
【００４２】
ロック機構は、固定ヘッド４７、固定シート４８、調整ボルト５０及び調整シート４９を備える。回動軸３４には、装着室５１が設置され、固定ヘッド４７は、装着室５１内に固定して装着され、且つ回動軸３４とともに同期移動できる。固定シート４８は、一端がベース４に固定して取り付けられ、固定シート４８は、ダンパーの他端をベース４に固定して取り付けることに用いられる。調整シート４９は、固定シート４８と固定ヘッド４７との間、及び／又は、固定シート４８と調整ボルト５０との間に設置される。調整ボルト５０は、調整シート４９、固定シート４８を貫通して固定ヘッド４７に螺合され、調整ボルト５０は、固定シート４８と固定ヘッド４７の間の摩擦力を調整することに用いられる。本実施例では、調整シート４９は、２枚設置され、そのうち、一方の調整シートは、固定シート４８と固定ヘッド４７との間に位置し、他方の調整シートは、固定シート４８と調整ボルト５０との間に位置する。
【００４３】
好ましくは、ベース４の内側壁の収納溝４４に近い一側には、取付台が設置され、固定シート４８は、２つの締め付けネジにより取付台に固定して取り付けられる。回動軸３４の他端には、伸縮ロッド３１内の線バネが挿通するための線通し孔が設置される。
【００４４】
実施例３
本実施例と実施例１及び実施例２との主な相違点として、図９、１０に示すように、本実施例では、ロック機構は、実施例１と実施例２の組み合わせであり、このように配置されたロック機構は、伸縮ロッドの固定時の安定性を確保できるだけでなく、該折り畳み式装置の回動及び伸縮時の手応え感を改善し、さらにユーザーエクスペリエンスを向上させることができる。
【００４５】
以上、本考案の技術案は説明されたが、それに限定されるものではなく、当業者によって本考案の技術案についてなされるほかの変更や同等置換は、本考案の技術案の趣旨及び範囲から逸脱しない限り、本考案の特許請求の範囲に含まれる。
【符号の説明】
【００４６】
１、扇風機本体
２、反転ロック機構
３、伸縮ロック機構
４、ベース
５、主制御回路基板
６、充電式バッテリー
７、スイッチボタン
８、充電インターフェース
９、カウンターウェイト
１１、前ガード
１２、後ガード
１３、モータ
１４、扇風機ブレード
１５、係合ブロック
２１、接続ベース
２１１、ノッチ
２２、ヒンジ部材
２２１、円形カラム
２３、雲台ヘッド
２３１、円形貫通孔
２４、減衰ゴムリング
３１、伸縮ロッド
３１１、弧状凹溝
３２、インナースリーブ
３２１、第１ロック孔
３２２、挿入溝
３３、アウタースリーブ
３４、回動軸
３５、減衰ガスケット
３６、ロックリング
３６１、第２ロックブロック
３６２、挿入ブロック
３６３、弧状突起
３７、ロック部材
３８、ヒンジ連結ヘッド
３９、締め付けリング
３９１、第１ロックブロック
３９２、第２ロック孔
３９３、開口
４１、収容スペース
４２、取り付けボス
４３、取り付け軸孔
４４、収納溝
４５、環状リブ
４６、収納室
４７、固定ヘッド
４８、固定シート
４９、調整シート
５０、調整ボルト
５１、装着室
【図１】
0003227146.tif 000003
【図２】
0003227146.tif 000004
【図３】
0003227146.tif 000005
【図４】
0003227146.tif 000006
【図５】
0003227146.tif 000007
【図６】
0003227146.tif 000008
【図７】
0003227146.tif 000009
【図８】
0003227146.tif 000010
【図９】
0003227146.tif 000011
【図１０】
0003227146.tif 000012
【手続補正書】
【提出日】令和2年4月2日(2020.4.2)
【手続補正１】
【補正対象書類名】実用新案登録請求の範囲
【補正対象項目名】全文
【補正方法】変更
【補正の内容】
【実用新案登録請求の範囲】
【請求項１】
折り畳み式扇風機であって、
ベース（４）と、
前記ベース（４）の一側に設置された扇風機本体（１）と、
一端が前記ベース（４）に回動可能に装着され、他端が前記扇風機本体（１）に装着された伸縮ロック機構（３）であって、前記扇風機本体（１）が使用されるときに、前記ベース（４）に固定され、且つ固定された後に前記扇風機本体（１）を支持する伸縮ロック機構（３）と、
一端が前記扇風機本体（１）に装着され、他端が前記伸縮ロック機構（３）に装着された反転ロック機構（２）であって、前記扇風機本体（１）が使用されるときに、前記扇風機本体（１）と前記伸縮ロック機構（３）を相対的にロック可能にし、又は、前記扇風機本体が収納されるときに、前記扇風機本体（１）と前記伸縮ロック機構（３）を相対的に回動可能にする反転ロック機構（２）と、を備えることを特徴とする折り畳み式扇風機。
【請求項２】
前記ベース（４）には、収納溝（４４）が設置され、及び／又は、前記扇風機本体（１）には、収納溝（４４）が設置され、扇風機本体を折り畳むとき、前記伸縮ロック機構（３）と前記反転ロック機構（２）は、反転して折り畳まれて前記収納溝（４４）に収容されることを特徴とする請求項１に記載の折り畳み式扇風機。
【請求項３】
前記反転ロック機構（２）は、
前記扇風機本体（１）に固定して取り付けられる接続ベース（２１）と、
前記伸縮ロック機構（３）の前記ベース（４）から離れた一側に固定して取り付けられ、前記接続ベース（２１）に装着される雲台ヘッド（２３）と、
一端が前記接続ベース（２１）に装着され、他端が前記雲台ヘッド（２３）に装着され、前記雲台ヘッド（２３）と前記接続ベース（２１）を回動可能に装着するヒンジ部材（２２）と、
前記ヒンジ部材（２２）と前記雲台ヘッド（２３）との間に設置された減衰ゴムリング（２４）と、を備えることを特徴とする請求項２に記載の折り畳み式扇風機。
【請求項４】
前記接続ベース（２１）には、「匚」型構造のノッチ（２１１）が設置され、前記ヒンジ部材（２２）は、２つ設けられ、２つの前記ヒンジ部材（２２）は、それぞれ前記ノッチ（２１１）の対向する内壁面に取り付けられ、前記雲台ヘッド（２３）は、一端が環状であり、２つの前記ヒンジ部材（２２）の間にヒンジ連結され、他端が前記伸縮ロック機構（３）に固定して装着され、扇風機本体（１）が収納されるとき、扇風機本体（１）は、接続ベース（２１）における雲台ヘッド（２３）を介して伸縮ロック機構（３）に対して反転して折り畳むことができることを特徴とする請求項３に記載の折り畳み式扇風機。
【請求項５】
前記伸縮ロック機構（３）は、
一端が前記ベース（４）に装着され、他端が前記扇風機本体（１）に装着された伸縮機構と、
前記伸縮機構と前記ベース（４）との間に設置されたロック機構であって、前記伸縮機構が使用されるとき、前記伸縮機構と前記ベース（４）をロックし、前記伸縮機構が収納されるとき、前記伸縮機構と前記ベース（４）とのロックを解除し、ロックが解除されると、前記伸縮機構が前記ベース（４）に対して反転して前記収納溝（４４）に収納されるロック機構と、を備えることを特徴とする請求項４に記載の折り畳み式扇風機。
【請求項６】
前記伸縮機構は、
ヒンジ連結端が前記ベース（４）に回動可能に装着されたインナースリーブ（３２）と、
固定端が前記インナースリーブ（３２）内に套設されて前記インナースリーブ（３２）に固定して装着され、伸縮端が扇風機本体（１）に装着された伸縮ロッド（３１）と、を備えることを特徴とする請求項５に記載の折り畳み式扇風機。
【請求項７】
前記インナースリーブ（３２）のヒンジ連結端の両側がそれぞれ外へ延びて回動軸（３４）を形成し、２つの前記回動軸（３４）は、同一軸線上に設けられ、
前記ベース（４）には、収容スペース（４１）が設置され、前記収容スペース（４１）の一側の内壁面には、取り付けボス（４２）が設けられ、前記取り付けボス（４２）の２つの前記回動軸（３４）に対応する位置に、それぞれ取り付け軸孔（４３）が設けられ、前記取り付け軸孔（４３）のサイズが２つの前記回動軸（３４）のサイズに適合しており、２つの前記回動軸（３４）がそれぞれ前記取り付け軸孔（４３）に挿着され、それにより前記インナースリーブ（３２）が前記回動軸（３４）を介して前記取り付けボス（４２）に回動可能に取り付けられることを特徴とする請求項６に記載の折り畳み式扇風機。
【請求項８】
前記回動軸（３４）の外周には、摩擦力を増大するための減衰ガスケット（３５）がさらに套設され、前記減衰ガスケット（３５）は、前記回動軸（３４）と前記取り付けボス（４２）の取り付け軸孔（４３）との間に介在していることを特徴とする請求項７に記載の折り畳み式扇風機。
【請求項９】
前記ロック機構は、
前記インナースリーブ（３２）に外嵌され、前記インナースリーブ（３２）に対して回動することで、前記インナースリーブ（３２）と前記ベース（４）をロック又はロック解除するアウタースリーブ（３３）と、
前記インナースリーブ（３２）と前記アウタースリーブ（３３）との間に設置され、前記インナースリーブ（３２）上を移動するように前記アウタースリーブ（３３）を制限する制限構造と、を備えることを特徴とする請求項７に記載の折り畳み式扇風機。
【請求項１０】
前記アウタースリーブ（３３）と前記ベース（４）との間には、前記アウタースリーブ（３３）と前記ベース（４）とのロック面積を増大して前記伸縮ロッド（３１）の安定性を高めるためのロック部材（３７）が設置され、
前記アウタースリーブ（３３）が前記インナースリーブ（３２）に対して回転しながら前記ベース（４）に近づくとき、前記アウタースリーブ（３３）は、前記ロック部材（３７）を前記ベース（４）に押し締めて前記インナースリーブ（３２）をロックし、
前記アウタースリーブ（３３）が前記インナースリーブ（３２）に対して回転しながら前記ベース（４）から離れるとき、前記アウタースリーブ（３３）は、前記ロック部材（３７）に対する押し締めを解除して、前記インナースリーブ（３２）に対するロックを解除することを特徴とする請求項９に記載の折り畳み式扇風機。
【請求項１１】
前記インナースリーブ（３２）の外面には、雄ネジが設けられ、前記アウタースリーブ（３３）の内面には、対応する雌ネジが設けられ、前記アウタースリーブ（３３）は、前記インナースリーブ（３２）と嵌合するネジ構造によって前記インナースリーブ（３２）にロックして固定できることを特徴とする請求項１０に記載の折り畳み式扇風機。
【請求項１２】
前記制限構造は、
前記インナースリーブ（３２）のヒンジ連結端から離れた一側に套設され、前記インナースリーブ（３２）に係着され、且つ開口（３９３）が設置された締め付けリング（３９）と、
一部が前記締め付けリング（３９）の開口（３９３）を貫通して前記インナースリーブ（３２）に差し込まれ、残りの部分が前記締め付けリング（３９）に係着されたロックリング（３６）と、を備えることを特徴とする請求項１１に記載の折り畳み式扇風機。
【請求項１３】
前記ロック機構は、
固定ヘッド（４７）、固定シート（４８）、調整シート（４９）及び調整ボルト（５０）を備え、
前記回動軸（３４）には、装着室（５１）が設置され、前記固定ヘッド（４７）は、前記装着室（５１）内に固定して装着され、且つ前記固定ヘッド（４７）は、前記回動軸（３４）とともに同期移動でき、
前記固定シート（４８）の一端は、前記ベース（４）に固定して取り付けられ、
前記調整シート（４９）は、前記固定シート（４８）と前記固定ヘッド（４７）との間、及び／又は、前記固定シート（４８）と前記調整ボルト（５０）との間に設置され、
前記調整ボルト（５０）は、前記調整シート（４９）と前記固定シート（４８）を貫通して前記固定ヘッド（４７）に装着され、前記固定シート（４８）と前記固定ヘッド（４７）との間の摩擦力を調整することに用いられることを特徴とする請求項７に記載の折り畳み式扇風機。